(57)【要約】【課題】腰を落したり曲げたりするなどの身体にストレスを与える姿勢を取ることなく、楽に靴べらが使用できるコンパクトな靴べらスタンドを提供する。【解決手段】円筒体１内上部に靴べら収納空間Ｓ１と下部に底上げ空間Ｓ２とを形成すると共に、該円筒体１の口径Ｒを４０〜７０ｍｍ、長さＡを３００〜７００ｍｍとし、該円筒体１を該円筒体１よりも径が１５〜４０ｍｍ大きい円形の台座２の中央に直立状態に固設し、前記収納空間Ｓ１の底面３ａを、該底面３ａと円筒体１の対向内壁面と上端開口面とで形成される長方形の対角線の角度αが円筒体１の内壁面に対して３０度より小さい角度となる深さＣに形成する。【選択図】  図１
0003208785.tif 000002
【実用新案登録請求の範囲】
【請求項１】
円筒体内上部に靴べら収納空間と下部に底上げ空間とを形成すると共に、該円筒体の口径を４０〜７０ｍｍ、長さを３００〜７００ｍｍとし、該円筒体を該円筒体よりも径が１５〜４０ｍｍ大きい円形の台座の中央に直立状態に固設し、
前記収納空間の底面を、該底面と円筒体の対向内壁面と上端開口面とで形成される長方形の対角線の角度が円筒体の内壁面に対して３０度より小さい角度となる深さに形成したこと特徴とする靴べらスタンド。
【請求項２】
靴べら収納空間の底面が底面体上に形成され、該底面体に円筒体の上端開口部から該靴べら収納空間の底面までの深さを調節可能とする深さ調節手段を設けたことを特徴とする請求項１に記載の靴べらスタンド。
【請求項３】
深さ調節手段が、底上げ空間内に設けられ、上端部と下端部とで相互に嵌合可能な凹部と凸部を形成した複数の連結ロッドが底面体下に上下に複数連結され、その連結個数の増減により上端開口部から靴べら収納空間の底面までの深さを調節可能としたことを特徴とする請求項２に記載の靴べらスタンド。
【請求項４】
深さ調節手段が、底上げ空間内に設けられ、上側と下側とで出没嵌合可能な異型のパイプが底面体下に連設され、該上側と下側のパイプの出没移動により上端開口部から靴べら収納空間の底面までの深さを調節可能としたことを特徴とする請求項２に記載の靴べらスタンド。
【請求項５】
深さ調節手段が、円筒体の周面には途中に複数段の係止溝を備えた縦長スライド孔が穿設され、底面体には側部に前記縦長スライド孔を上下にスライド可能且つ前記係止溝に係止可能なスライダ部が前記円筒体の周面から外側に突出状態に設けられ、前記縦長スライド孔内にスライダ部を上下させて前記係止溝に係止させることにより上端開口部から靴べら収納空間の底面までの深さを調節可能としたことを特徴とする請求項２に記載の靴べらスタンド。
【考案の詳細な説明】
【技術分野】
【０００１】
本考案は長尺の靴べらを立てて置くための靴べらスタンドに関する。
【背景技術】
【０００２】
これまで、下記特許文献１の花瓶形の靴べら立てや下記特許文献２の縦筒形の靴べらスタンドの提案がなされているが、これらは簡単に移動させて使用できる利点があるものの、いずれも立てられた靴べらの置かれる位置が低く、使用に当っては、腰を曲げたり、屈んだりしまければならない。このため足に障害がある人、腰痛症の人、足腰の筋肉の衰えた老人等の足腰に問題を抱えている人達に対しては苦痛を感じさせるものとなっている。
又、靴べらをスタンド内に戻すには丁寧に差し込まなければ立てられないという難点がある。
一方、長尺の靴べらが玄関等の壁面の立ったまま手の届く位置に吊り下げられたり、差し込み枠の高い傘立に掛られたりしてこそ腰を曲げずに使用されている実態があるが、壁面の景観を損ね、置く場所が限られているのでそこまで取り行って使用しなければならないので使い難いという問題がある。
【先行技術文献】
【特許文献】
【０００３】
【特許文献１】特開平９−３１３３３０号公報
【特許文献２】特開２００２−３４５６２２号公報
【考案の概要】
【考案が解決しようとする課題】
【０００４】
本考案は、上記実情に鑑み、腰を曲げたり屈んだりするなどの身体にストレスを与える姿勢を取ることなく、靴べらが楽に抜き挿しできるコンパクトな靴べらスタンドを提供することを目的とする。
【課題を解決するための手段】
【０００５】
上記目的を達成するため、本考案の靴べらスタンドは、円筒体内上部に靴べら収納空間と下部に底上げ空間とを形成すると共に、該円筒体の口径を４０〜７０ｍｍ、長さを３００〜７００ｍｍとし、該円筒体を該円筒体よりも径が１５〜４０ｍｍ大きい円形の台座の中央に直立状態に固設し、前記収納空間の底面を、該底面と円筒体の対向内壁面と上端開口面とで形成される長方形の対角線の角度が円筒体の内壁面に対して３０度より小さい角度となる深さに形成したこと特徴とする。
【０００６】
請求項２に記載の考案は、上記考案において、前記靴べら収納空間の底面が底面体上に形成され、該底面体に円筒体の上端開口部から該靴べら収納空間の底面までの深さを調節可能とする深さ調節手段を設けたことを特徴とする請求項１に記載の靴べらスタンド。
【０００７】
請求項３に記載の考案は、上記考案において、前記深さ調節手段が、底上げ空間内に設けられ、上端部と下端部とで相互に嵌合可能な凹部と凸部を形成した複数の連結ロッドが底面体下に上下に複数連結され、その連結個数の増減により上端開口部から靴べら収納空間の底面までの深さを調節可能としたことを特徴とする。
【０００８】
請求項４に記載の考案は、上記考案において、前記深さ調節手段が、底上げ空間内に設けられ、上側と下側とで出没嵌合可能な異型のパイプが底面体下に連設され、該上側と下側のパイプの出没移動により上端開口部から靴べら収納空間の底面までの深さを調節可能としたことを特徴とする。
【０００９】
請求項５に記載の考案は、上記考案において、前記深さ調節手段が、円筒体の周面には途中に複数段の係止溝を備えた縦長スライド孔が穿設され、底面体には側部に前記縦長スライド孔を上下にスライド可能且つ前記係止溝に係止可能なスライダ部が前記円筒体の周面から外側に突出状態に設けられ、前記縦長スライド孔内にスライダ部を上下させて前記係止溝に係止させることにより上端開口部から靴べら収納空間の底面までの深さを調節可能としたことを特徴とする。
【考案の効果】
【００１０】
本考案は上記構成としたので、円筒体の長さを３００〜７００ｍｍとし、該円筒体の内部に靴べらを入れた際に、下部の底上げ空間によって、上部の靴べら収納空間の底面が高い位置に底上げされるため、靴べらが取り易い高い位置に保持される。
その際、靴べら収納空間の底面上に載った靴べらが３０度よりも小さい傾斜角度で円筒体の上端開口部に支持され、円筒体の上端開口部から靴べらを投入したとき、傾けて入れても、靴べらの先端部が円筒体の内周面を滑って底面まで落下して立ち上がる。そして、該靴べら収納空間の底面に載った長尺の靴べらの取手部分が、人が立った状態で丁度手に近い位置となり、腰を落したり、屈めたりして取り出す必要がなく、身体に殆どストレスを与えることなく楽に使用することが可能となる。
特に、腰痛症の人や、足腰の筋肉の衰えた老人等の身体弱者にとって、殆ど苦痛を感じることなく安心して靴べらを使用できるようになる。
又、円筒体が縦に長いが台座は横幅を取らず、全体が軽くコンパクトなので、靴を履く際の手の届く場所に自由に移動させて置くことができる。そして、円筒体の口径を４０〜７０ｍｍとしたことで、数本の靴べらが収容可能となり、靴べらを一度に複数の人が使用可能となる。
又、台座は円筒体よりも径が１５〜４０ｍｍ大きい円形としたことで、床や土間等の平面上に安定的に置かれ、人が接触しても容易に倒れることはないので安心して使用できる。
【００１１】
請求項２に記載の考案は、深さ調節手段により、靴べら収納空間の底面位置の円筒体の上端開口部からの深さが調節可能となり、収容する靴べらの長さに対応して、靴べらの取手部分が円筒体の上端開口部から上へ取り出し易い長さで突出した状態とすることができる。
即ち、多様なサイズの靴べらが最適状態で使用可能となる。
【００１２】
請求項３に記載の考案は、深さ調節手段による靴べら収納空間の底面の深さを調節するに際し、連結ロッドの連結個数の増減で容易に円筒体の上端開口部から該靴べら収納空間の底面までの深さを調節可能となる。
そして、該深さ調節手段は底上げ空間内に設けられるため、円筒体の見栄えを損なわないで底面体の深さを確実に調節することが可能となる。
【００１３】
請求項４に記載の考案は、深さ調節手段による靴べら収納空間の底面の深さを調節するに際し、上側と下側のパイプの出没移動により円筒体の上端開口部から靴べら収納空間の底面までの深さが調節可能となる。
そして、該深さ調節手段は底上げ空間内に設けられるため、円筒体の外観を損なわずに靴べら収納空間の底面の深さを確実に調節することが可能となる。
【００１４】
請求項５に記載の考案は、深さ調節手段による靴べら収納空間の底面の深さを調節するに際し、靴べらを入れたままでも、円筒体の外側からスライダ部を上下移動させ、最適段の係止溝に係止させることで簡単に円筒体の上端開口部から該靴べら収納空間の底面までの深さを調節することが可能となる。
【図面の簡単な説明】
【００１５】
【図１】本考案の斜視図である。
【図２】本考案の使用状態を示す斜視図である。
【図３】深さ調節手段を備えた形態の（イ）は底面を上げた状態を示し（ロ）は底面を下げた状態を示す各縦断側面図である。
【図４】別の形態の深さ調節手段の（イ）は底面上げた状態を示し（ロ）は底面を下げた状態を示す各縦断側面図である。
【図５】別の形態の深さ調節手段を示し、（イ）は全体の斜視図、（ロ）は底面体の斜視図、（ハ）は深さ調節手段の要部を拡大した側面図である。
【図６】図５の形態の深さ調節手段の（イ）は底面を上げた状態を示し（ロ）は底面を下げた状態を示す各縦断側面図である。
【図７】別の形態の台座と円筒体の固定部分の要部を示す縦断側面図である。
【考案を実施するための形態】
【００１６】
本考案の靴べらスタンドの実施形態を以下図を参照して説明する。
本考案の使用対象とする靴べらは、ポケットに入れて携帯できる１００ｍｍ程度の小さいものは対象外とし、例えば幅が約５０ｍｍ、長さが２００〜５００ｍｍ程度の長尺タイプの靴べらを対象とする。
本考案の靴べらスタンドは、図１に示すように円筒体１を円形の台座２の中央に直立させて固定する。
該円筒体１は靴べらを数本入れることが可能となるように口径Ｒを４０〜７０ｍｍとし、内部を上部の靴べら収納空間Ｓ１と下部の底上げ空間Ｓ２に上下に空間を分割する。
前記台座２の径は、円筒体１の径よりも１５〜４０ｍｍ大きな５５〜１１０ｍｍとし、この広い底面によって円筒体１は直立して安定して自立可能となる。
【００１７】
そして、図２に示すように、台座２から上端開口部１ａまでの高さＡは、使用する人が立ったとき、下部の底上げ空間Ｓ２により底上げされた靴べら収納空間Ｓ１の底面３ａに載った靴べらＫは、上端開口部１ａから上に靴べらＫの取手部分ｋが適度に突出し、手Ｈが自然に当る高さに設定する。
例えば、身長１７０ｃｍの平均的な身長の人では、手の高さ位置は７００ｍｍ程度まで高い位置となる。
一方、玄関の上がり框や椅子、縁側等に腰掛けたとき、手を前に伸ばして楽に手が届く位置は３００ｍｍ程の低い位置となる。
従って、これらの使い方を考慮して、台座２から上端開口部１ａまでの高さＡを３００〜７００ｍｍとする。
このように高さを設定することで、使用する際に、立ったままの姿勢や上がり框に座ったままで靴べらＫを手に取り、殆どそのままの姿勢で靴を履くことができるため、腰を屈めるなど身体にストレスを与える姿勢を取らずに楽に靴を履くことが可能となる。
【００１８】
又、該円筒体１の上端の開口部1ａは靴べらＫを投入し易くするため、周囲を外側に５〜１０ｍｍ広げてラッパ状に形成して最上縁の開口面積である靴べらＫの受け口を大きく広げる。
該円筒体１にはプラスチック、金属等の素材が使用でき、前記台座２にはプラスチック、木材、金属等の素材が使用できる。
【００１９】
前記台座２と円筒体１との固定は、図１では円筒体１の内径と同径の木材、プラスチック等の円柱形の繋ぎ材９を該円筒体１の下端縁にまで没入させ、該繋ぎ材９の下端面と台座２とを接着剤で固定した態様を示すが、前記台座２と円筒体１の固定方法は各種可能であり、前記繋ぎ材９を介さずに、接着剤で直接固着することもできる。
又、図７に示すように、プラスチック製の円形の台座２の上面に、円筒体１と内径が等しい外径の筒状連結部２ａを一体的に形成し、該筒状連結部２ａに円筒体１の下端部を嵌めて台座２と円筒体１とを固定することも可能である。
【００２０】
そして、前記台座２の上に自立した背の高い円筒体１が倒れ難くなるように、重心を低くする。
例えば、図７に示すように、プラスチック製の円形の台座２の上面に筒状連結部２ａを一体的に形成して台座２と円筒体１とを固定した態様では前記台座２上に錘４を接着剤やネジ等で固設した態様が可能である。
該錘４には木製、プラスチック製、セラミック製、金属製等の重量物を使用する。
【００２１】
又、重心を低くするには、図１に示すように、円筒体１を台座２に対して錘４の機能を兼ねた大きい重量のある繋ぎ材９を介して固定する態様や、台座２自体を大きい重量として、錘４の機能を兼ねさせた態様が可能である。
例えば、図３に示すように、台座２に厚手の鉄板を用い、台座２自体の重量を大きくすることで、別に錘４を用いずに重心を低くすることが可能となる。
【００２２】
そして、前記円筒体１の上部の靴べら収納空間Ｓ１の底面３ａは、上端開口部１ａから特定の深さに配設した底面体３の上面に形成する。
該底面体３の上端開口部１ａからの設置深さで、図１に示すように、円筒体１の上端開口部１ａからの前記靴べら収納空間の底面３ａまでの深さＣを決める。
その深さＣは、前記靴べら収納空間の底面３ａと前記円筒体１の対向内壁面と上端開口面とで囲われて形成される長方形の対角線の角度αが円筒体１の内壁面に対して３０度よりも小さい角度となる深さとする。
【００２３】
例えば、一番長い５００ｍｍの靴べら用に口径４０ｍｍ、長さ６８０ｍｍの円筒体を用い、靴べらＫの取手部分ｋを上端開口部１ａから上に５０ｍｍ突出させた場合、円筒体１の上端開口部１ａからの前記靴べら収納空間の底面３ａまでの深さＣは４５０ｍｍであり、前記対角線の角度αは約５度となる。そして、底面３ａ下に高さ約２３０ｍｍの底上げ空間Ｓ２が形成される。
【００２４】
前記長方形の対角線の角度αを３０度よりも小さい角度としたのは、靴べらを真上から垂直にではなく中途半端に斜めに投入しても、靴べらの先端部が円筒体１内に入れば自然に靴べら収納空間Ｓ１の底面３ａまで落下して行く角度の限界角度であるからである。
例えば、長い靴べらＫが上端開口部１ａで中間部が支えられ、靴べらの先端部を円筒体１の内壁面に接触させ、支持部から先の取手部分ｋ側の方が長い場合、４５度の角度で傾いた状態となって一旦静止させると、靴べらＫの先端部が円筒体１の内壁面を滑り登りって取手部分ｋ側から落下してしまう。
即ち、円筒体１の上端開口部１ａからの前記靴べら収納空間の底面３ａまでの深さＣが靴べらが４５度で上端開口部１ａに支持される角度となる深さであると、靴べらが靴べら収納空間Ｓ１内に保持できなきので好ましくない。
【００２５】
前記長方形の対角線の角度αが３０度よりも小さい角度の場合、靴べらの先端部を円筒体１の内壁面に接触させ、靴べらＫを上端開口部１ａで支えられた状態とすると、上端開口部１ａより上に取手部分ｋ側が先端部側より長く突出していても、靴べらＫの先端部が円筒体１の内壁面を滑って底面３ａまで、円筒体１内に吸い込まれるように速やかに落下して行く。
この結果、使用者が靴べらＫを斜めに上端開口部１ａへ投入したとしても、靴べらＫは脱落せずに確実に底面３ａに載るように立って納められることとなる。
【００２６】
又、例えば、円筒体１の口径Ｒを最大７０ｍｍとした場合でも、前記長方形の対角線の角度αを３０度とすると、底面３ａの深さ位置は約１１５ｍｍとなる。このため２９０ｍｍの短い円筒体１では約１７５ｍｍの底上げ空間が形成され、長い６９０ｍｍの円筒体１では５７５ｍｍの底上げ空間Ｓ２が形成される。
【００２７】
なお、該底面体３の上面に形成する底面３ａは、靴べら収納空間Ｓ１に入れた靴べらＫがそこから下に落下しように支えられれば良く、その上面は平面、網状、格子状等が可能であり、平面形状に限定するものではない。
又、例えば、図１には円板の上面が平面状の底面体３を示したが、多角形の板や格子等の使用も可能であり、円板に限定するものではない。
そして、前記底面体３は周囲を接着剤等で円筒体１の内面に固着することができる。
【００２８】
前記底面３ａの深さＣは、前記円筒体１の上端開口部１ａから上への取手部分ｋの突出長さＢが５０ｍｍ以上となる深さとすることが好ましく、１０ｍｍ程度以下の突出長さでは短すぎて手で掴み難くなってしまう。なお、それ以上大きく突出していても手による掴み易さは変わらないので問題はない。
例えば長さ３００ｍｍの靴べら用には、上端開口部１ａから底面３ａまでの深さＣは２２０ｍｍとすると、取手部分ｋの突出長さＢが８０ｍｍ程得られるので靴べらが取り出し易くなる。
【００２９】
本考案は、以上の如く、縦に長いが全体が軽くコンパクトなので、台座２分の床面積があれば何処にでも、靴を履く際の手の届く場所に自由に移動させて設置し使用することができる。
【００３０】
又、本考案では、一つの靴べらスタンドで、多様なサイズの靴べらを使用することができるように、円筒体１の上端開口部１ａから靴べら収納空間Ｓ１の底面３ａまでの深さを調節可能とする深さ調節手段５を設けた形態が可能である。
円筒体１内に位置固定した底面体３は、短い靴べらを入れたときには、前記円筒体１の上端開口部１ａから下に隠れて取り出せず、長い靴べらを入れたときには、上端開口部１ａから上に大きく突出し靴べらの立て掛け位置が不安定となる場合があるが、深さ調節手段５を設けた形態では、靴べらＫの長さに応じて、前記円筒体１の上端開口部１ａから上への取手部分ｋの突出長さＢを取り出し易い長さに調節することができる。
該深さ調節手段５は、図３に示す連結ロッド連結式、図４に示す出没パイプ式、図５及び図６に示す上下スライド式の各形態が可能であり、これらの形態を以下説明する。
【００３１】
先ず、図３に示す深さ調節手段５の形態について説明する。
この形態は、深さ調節手段５が底面体３下の台座２との間の底上げ空間Ｓ２内に設けられ、上端部と下端部とで相互に嵌合可能な凹部６ｂと凸部６ａを形成した複数の連結ロッド６が底面体３の下面に設けたロッド連結部７の下方に上下に複数個連結され、その連結個数の増減により上端開口部１ａから底面体３までの深さを調節可能とするものである。
なお、ロッド連結部７は底面体３の下面と最上部の連結ロッド６の凸部６ａとを嵌合させて底面３ａを水平に保つためのものであり、図３中の符号８は最下部の連結ロッド６を円筒体１の中心に拘束する円板８であり、符号８ａに示す連結ロッド連結部８ａは前記円板８と最下部の連結ロッド６とを連結するものである。
この深さ調節手段５の形態では、底面３ａの深さを調節するに際し、前記連結ロッド６の連結個数を、図３の（イ）では４個を連結して、円筒体１の上端開口部１ａから底面３ａまでの深さを浅くして短い靴べらＫの取手部分ｋの突出長さＢを適度の長さが得られるように対応させ、図３の（ロ）では、連結ロッド６を、図３の（イ）で示す個数より２個減らして、円筒体１の上端開口部１ａから底面３ａまでの深さを大きくし、長い靴べらＫの取手部分ｋの突出長さＢを適度の長さとなるように対応させた調節状態を示す。
この形態では、底面３ａを形成した底面体３と円板８とは円筒体１に固着させず遊嵌させることで、逆さにして底面体３、連結ロッド６、及び円板８を上端開口部１ａから排出させ、円筒体１の外側で連結ロッド６を靴べらの長さに応じた連結個数で組み立ててから円筒体１の上端開口部１ａからその内部に戻し入れる。
このように連結ロッド６を増減させることで、容易に円筒体１の上端開口部１ａから該底面３ａまでの深さを調節することが可能となる。
この形態では、深さ調節手段５が円筒体に内部に設けられているため、円筒体１の外観を損なわずに見栄の良い製品となる。
【００３２】
次に図４に示す深さ調節手段５の形態について説明する。
この深さ調節手段５の形態では、底面体３下の繋ぎ材兼用の錘４（９）との間の底上げ空間Ｓ２内に設けられ、出没嵌合可能な小径の上側のパイプ１１と大径の下側のパイプ１０が底面体３の下面に連設され、該上側と下側のパイプ１１、１０を出没させることにより上端開口部１ａから底面体３までの深さを調節可能とする。
この深さ調節手段５の形態では、例えば、図４では両パイプ１１、１０の隙間に差し込み可能に先端を尖らせた固定楔１２を用いることで出没位置の固定が可能となる態様を示しているが、両パイプ１１、１０の固定は他にもピンやボルト等で固定することもでき各種態様が可能である。
なお、図４中の符号１１ａは、底面３ａを水平に保ち、底面体３の下面とパイプ上端部のパイプ接続部１１ａであり、符号１０ａは下端部を円筒体１の中心に拘束する円板を備えたパイプ接続部８ａである。
この形態でも、底面体３とパイプ接続部８ａは円筒体１に固着させず遊嵌させることで、逆さにして底面体３、両パイプ１１、１０、及びとパイプ接続部８ａを上端開口部１ａから排出させ、円筒体１の外側で両パイプ１１、１０を出没調節して靴べらの応じた出没位置に調節してから円筒体１の上端開口部１ａからその内部に戻し入れることで容易に調節が可能となる。
なお、靴べらＫの長さに応じて、図４の（イ）は底面３ａを上げて固定楔１２で底面体３を浅い位置で固定した状態を示し（ロ）は底面３ａを下げて底面体３を深い位置に固定楔１２で固定した状態を示している。
この形態も、深さ調節手段５が円筒体１に内部に設けられているため、円筒体１の外観を損なわずに見栄良い製品が提供できる。
【００３３】
次に図５及び図６示す深さ調節手段５の形態について説明する。
この深さ調節手段５の形態では、図５の（イ）に示すように、円筒体１の両側周面には対向させて対称な複数段の係止溝１４を途中に備えた縦長スライド孔１３を穿設し、底面体３には、図５の（ロ）に示すように、両側部に前記縦長スライド孔１３を上下にスライド可能且つ前記係止溝１４に係止可能なスライダ部１５を前記円筒体１の周面から外側に突出状態に設ける。
そして、図５の（ハ）に示すように、前記縦長スライド孔１３内にスライダ部１５を上下させて前記係止溝１４に係止させることにより上端開口部１ａから底面３ａまでの深さを調節可能とする。
この形態では、深さ調節手段５による底面３ａの深さを調節するに際し、スライダ部１５に設けたつまみ１６を持って、円筒体１の外側からスライダ部１５を上下させ、最適段の係止溝１４に係止させることで簡単に円筒体１の上端開口部１ａから該底面３ａまでの深さが調節可能となる。
図６の（イ）は短い靴べらＫに対応させて、底面体３を上げて上側の係止溝１４にスライダ部１５を入れて位置を固定した状態を示し、図６の（ロ）は長い靴べらＫに対応させて、底面体３を下げて下側の係止溝１４にスライダ部１５を入れて位置を固定した状態を示している。
なお、底面体３を水平に保つため、図５の（ハ）に示すように、前記円筒体１両側の係止溝１４は前記縦長スライド孔１３の幅と同じ幅の対称な縦長溝を形成し、前記スライダ部１５も縦長で同じ幅の断面形状が縦長長方形の板とすることで、前記スライダ部１５が前記係止溝１４に回転不能に拘束されて、底面体３が水平に保たれるように係止させることが可能となる。
この形態では、靴べらＫを円筒体１に入れたままでも円筒体１の外側から底面３ａの深さを調節することができるので便利である。
【産業上の利用可能性】
【００３４】
本考案は靴べらが数本収容できるので、大勢の人により靴の着脱が同時に行われるホテル、飲食店等の業務用に適するものであるが、コンパクトなので家庭の狭い玄関において使用することも可能である。
【符号の説明】
【００３５】
１  円筒体
１ａ  上端開口部
２  台座
２ａ  筒状連結部
３  底面体
３ａ  底面
４  錘
５  深さ調節手段
６  連結ロッド
６ａ  凸部
６ｂ  凹部
７  ロッド接続部
８  円板
８  ａ  ロッド接続部
９  繋ぎ材
１０  下側のパイプ
１０ａ  パイプ接続部
１１  上側のパイプ
１１ａ  パイプ接続部
１２  固定楔
１３  縦長スライド孔
１４  係止溝
１５  スライダ部
１６  つまみ
Ｒ  円筒体の口径
Ａ  台座から円筒体の上端開口部までの高さ
Ｂ  上端開口部からの靴べらの取手部分の突出長さ
Ｃ  底面を上げた際の上端開口部から靴べら収納空間の底面までの深さ
Ｄ  底面を下げた際の上端開口部から靴べら収納空間の底面までの深さ
Ｋ  靴べら
ｋ  靴べらの取手部分
α  靴べら収納空間の底面と円筒体の対向内壁面と上端開口面とで形成される長方形の対角線の角度
Ｓ１  靴べら収納空間
Ｓ２  底上げ空間
【図１】
0003208785.tif 000003
【図２】
0003208785.tif 000004
【図３】
0003208785.tif 000005
【図４】
0003208785.tif 000006
【図５】
0003208785.tif 000007
【図６】
0003208785.tif 000008
【図７】
0003208785.tif 000009